(57)【特許請求の範囲】
【請求項１】
数台のコンピューターを制御するキットにおいて、
ｎ個のコンピューター、ｍ個の入力装置、１個のリモコンで構成されて、
各コンピューターには各チャンネルごとに周波数チャンネルがお互いに異なる受信部と入力信号処理及び該当受信部を制御する制御部があって、
各入力装置には周波数チャンネルがお互いに異なるｎ個の送信部と入力を担当する入力部と入出力信号処理及び入力装置内部にあるモジュールを制御する制御部があって、
リモコンは周波数チャンネルがお互いに異なるｎ個の送信部と各チャンネルを選択することができるｎ個のチャンネル選択ボタンと入力信号処理及びリモコン内部にあるモジュールを制御する制御部Ｒがあり、
前記ｎ個のコンピューターのうちで選択されたコンピューターとｍ個の入力装置をリモコンを通じて連結するが、任意のコンピューターｉの受信部ｉとリモコンの任意の送信部ｉとｍ個の入力装置にある任意の送信部ｉは同じ周波数チャンネルであり、そのうちｎとｍは同じであるか異なって、ｉはｎより小さいか同じであり、
使用者がリモコンで任意のチャンネル選択ボタンｉを押したとき、
過程１：リモコンの送信部ｉがコンピューターｉの受信部ｉに活性化命令を送る動作、
過程２：前記過程１でコンピューターｉの受信部ｉを通じて活性化命令を受けたコンピューターｉの制御部ｉが、ｍ個の入力装置からの入力信号をコンピューターｉに送る動作、
過程３：リモコンの送信部ｉを除く、その他のリモコンの各送信部は各コンピューターの該当受信部に非活性化命令を送る動作、
過程４：前記過程３で各コンピューターの該当受信部から非活性化命令を受けた該当制御部は、ｍ個の入力装置から入って来る各入力信号を無視する動作、
を含むプロセスを実行し、
ｍ個の入力装置で各信号入力が入って来ればコンピューターｉだけ動作し、各入力装置は相互に独立的に動作し、不使用時には”Ｓｌｅｅｐ  Ｍｏｄｅ”となり、使用時には”Ｗａｋｅ  Ｕｐ  Ｍｏｄｅ”で動作することを特徴とする、
数台のコンピューターを制御するキット。
【請求項２】
前記数台のコンピューターを制御するキットは、
前記過程２で使用者がｍ個の入力装置のうち入力装置ｊを使って入力すれば、コンピューターｉの制御部ｉは入力装置ｊの入力信号を次のように処理し、そのうちｊはｍより小さいか同じであり、ｊとｉは同じではなくて、
過程２１は、入力装置ｊの制御部ｊは送信部ｉを通じて使用者の入力命令をコンピューターｉの受信部ｉに伝達し、
過程２２は、コンピューターｉの制御部ｉは受信部ｉで受信された入力命令をコンピューターｉに伝達し、
過程２３は、コンピューターｉはどの入力装置の入力命令であるか判断し、入力装置ｊということを確認後に入力命令を実行し、
過程２４は、コンピューターｉによって実行処理された入力命令が入力装置ｊのフィードバックを要求する信号である場合、コンピューターｉの命令に従ってコンピューターｉの制御部ｉはコンピューターｉで実行処理された信号を送信部Ａを通じて入力装置ｊの受信部Ａに送って入力装置ｊの制御部ｊは実行処理した後コンピューターｉに再伝送する、
ことを特徴とする請求項１に記載の数台のコンピューターを制御するキット。
【請求項３】
数台のコンピューターを制御するキットにおいて、
ｎ個のコンピューター、ｍ個の入力装置、１個のリモコンで構成されていて、
そのうち、各コンピューターには各チャンネルごとに周波数チャンネルがお互いに同じ受信部と入力命令信号処理及び該当受信部を制御する制御部があって、
各入力装置には周波数が同じ送信部と入力を担当する入力部と入出力信号処理及び入力装置内部にあるモジュールを制御する制御部があって、
リモコンは送信部と各チャンネルを選択することができるｎ個のチャンネル選択ボタンと入力信号処理及びリモコン内部のモジュールを制御する制御部Ｒがあり、
ｎ個のコンピューターの受信部とリモコンの送信部とｍ個の入力装置にある送信部は同じ周波数であり、
前記ｎ個のコンピューターで選択されたコンピューターとｍ個の入力装置をリモコンを通じて連結され、
そのうちｎとｍは同じであるか違って、ｉはｎより小さいか同じであり、
使用者がリモコンで任意のチャンネル選択ボタンｉを押したとき、
過程１：リモコンの制御部Ｒはリモコンの送信部Ｒを通じてｎ個のコンピューターの受信部にコンピューターｉの活性化命令を送る動作、
過程２：コンピューターｉの受信部ｉを通じてコンピューターｉの活性化信号を受けたコンピューターｉの制御部ｉが、ｍ個の入力装置からの入力信号をコンピューターｉへと送る動作、
過程３：コンピューターｉを除く、残りのコンピューターの受信部が、コンピューターｉの活性化命令を受信する動作、
過程４：前記残りのコンピューターの制御部は、前記過程３で受信されたコンピューターｉの活性化命令を非活性命令として認識し、ｍ個の入力装置から入って来る入力信号を無視する動作、
を含むプロセスを実行し、
ｍ個の入力装置で各信号入力が入って来ればコンピューターｉだけ動作し、各入力装置は相互に独立的に動作し、不使用時には”Ｓｌｅｅｐ  Ｍｏｄｅ”となり、使用時には”Ｗａｋｅ  Ｕｐ  Ｍｏｄｅ”で動作することを特徴とする、
数台のコンピューターを制御するキット。
【請求項４】
前記数台のコンピューターを制御するキットは、前記過程２で使用者がｍ個の入力装置のうち入力装置ｊを使って入力すれば、コンピューターｉの制御部ｉは入力装置ｊの入力信号を次のように処理し、そのうちｊはｍより小さいか同じであり、ｊとｉは同じではなくて、
過程２１は、入力装置ｊの制御部ｊは送信部ｉを通じて使用者の入力命令をコンピューターｉの受信部ｉに伝達し、
過程２２は、コンピューターｉの制御部ｉは受信部ｉで受信された入力命令をコンピューターｉに伝達し、
過程２３は、コンピューターｉはどの入力装置の入力命令であるか判断し、入力装置ｊということを確認後に入力命令を実行し、
過程２４は、コンピューターｉによって実行処理された入力命令が入力装置ｊのフィードバックを要求する信号である場合、コンピューターｉの命令に従ってコンピューターｉの制御部ｉはコンピューターｉで実行処理された信号を送信部Ｂを通じて入力装置ｊの受信部Ｂに送って入力装置ｊの制御部ｊは実行処理した後コンピューターｉに再伝送する、
ことを特徴とする請求項３に記載の数台のコンピューターを制御するキット。
【発明の詳細な説明】
【技術分野】
【０００１】
本発明は、コンピューターの制御領域に属し、特に、数台のコンピューターを制御するキットとその応用に関するものである。
【背景技術】
【０００２】
通常、無線マウスにあるチャンネル選択ボタンの操作だけで無線キーボードも同時に使用者が望むコンピューターにフォーカシングするためには、無線キーボードに無線マウスの動きを感知する別途の受信部がなければならないし、無線キーボードの受信部は無線マウスの動きをいつも監視しなければならないのため”Ｓｔａｎｄｂｙ  Ｍｏｄｅ”を維持しなければならない。
しかし、無線キーボードの受信部が“Ｓｔａｎｄｂｙ  Ｍｏｄｅ”維持時、バッテリーで動作する無線キーボードは、バッテリー消耗問題が発生して長期間使用が不可能になる。
【発明の概要】
【発明が解決しようとする課題】
【０００３】
本発明は、前述した問題点を解決するために無線キーボードに無線マウスの動きを感知する別途の受信部なしに長期間使用することができる方法を考案するようになった。
このような目的を達成するため、無線マウスと無線キーボードを相互独立的に作動するようにしてバッテリー消耗が多い“Ｓｔａｎｄｂｙ  Ｍｏｄｅ”ではなく、使用時は“Ｗａｋｅ  Ｕｐ  Ｍｏｄｅ”で不使用時は”Ｓｌｅｅｐ  Ｍｏｄｅ”に進入するようにすればよい。
既存技術を改善するために、本発明は数台のコンピューターを制御することができるキットとその応用を提供する。
本発明は、数台のコンピューターを一つの無線キーボードと無線マウスで操作ができることで省スペースと費用節約ができて、無線マウスにあるチャンネル選択ボタンで使用者が望むコンピューターに無線マウスと無線キーボードを同時に使用可能にさせるので、使用者にとって便宜性を提供する。
本発明は、インターネットを通じてハッキングされる問題を根本的に遮断することができる物理的網分離用デュアルコンピューターにも使われることができるし、ノートブックとデスクトップコンピューターを１台の無線マウスとキーボードで使用することができる。
【課題を解決するための手段】
【０００４】
前記技術問題を解決するために、本発明は次のような技術を具現する。
本発明による数台のコンピューターを制御するキットの特徴は、ｎ個のコンピューター、ｍ個の入力装置、１個のリモコンで構成されて、各コンピューターには各チャンネルごとに周波数チャンネルがお互いに異なる受信部と入力信号処理及び該当受信部を制御する制御部があって、各入力装置には周波数チャンネルがお互いに異なるｎ個の送信部と入力を担当する入力部と入出力信号処理及び入力装置内部にあるモジュールを制御する制御部があって、リモコンは周波数チャンネルがお互いに異なるｎ個の送信部と各チャンネルを選択することができるｎ個のチャンネル選択ボタンと入力信号処理及びリモコン内部にあるモジュールを制御する制御部Ｒがあり、前記ｎ個のコンピューターのうちで選択されたコンピューターとｍ個の入力装置をリモコンを通じて連結するが、任意のコンピューターｉの受信部ｉとリモコンの任意の送信部ｉとｍ個の入力装置にある任意の送信部ｉは同じ周波数チャンネルであり、そのうちｎとｍは同じであるか異なって、ｉはｎより小さいか同じである。
この特徴において、前記数のコンピュータを制御するキットの他の特徴は、前記ｎ個のコンピューターのうちに各コンピューターには周波数チャンネルが同じ送信部Ａ  があって、前記ｍ個の入力装置中に各入力装置には周波数チャンネルが同じ受信部Ａがあって、そのうち、ｎ個のコンピューターの送信部Ａとｍ個の入力装置の受信部Ａは同じ周波数チャンネルであり、コンピューターの制御部はコンピューターが処理した信号を送信部Ａを通じて入力装置の受信部Ａに伝達する。
この特徴において、前記数台のコンピューターを制御するキットとその応用での特徴は、使用者がリモコンで任意のチャンネル選択ボタンｉを押せば、次のようなプロセッサを行って、過程１は、リモコンの送信部ｉがコンピューターｉの受信部ｉに活性化命令を送って、過程２は、前記過程１でコンピューターｉの受信部ｉを通じて活性化命令を受けたコンピューターｉの制御部ｉはｍ個の入力装置から入力信号が入って来ればコンピューターｉに送って、過程３は、リモコンの送信部ｉを除いたリモコンの各送信部は各コンピューターの該当受信部に非活性化命令を送って、過程４は、前記過程３で各コンピューターの該当受信部から非活性化命令を受けた該当制御部は、ｍ個の入力装置から入って来る各入力信号を無視する。
延いては、前記数台のコンピューターを制御するキットとその応用の他の特徴は、使用者がリモコンで任意のチャンネル選択ボタンｉを押せば、次のようなプロセッサを行って、過程１は、リモコンの送信部ｉがコンピューターｉの受信部ｉに活性化命令を送って、過程２は、前記過程１でコンピューターｉの受信部ｉを通じて活性化命令を受けたコンピューターｉの制御部ｉはｍ個の入力装置から入力信号が入って来ればコンピューターｉに送って、過程３は、リモコンの送信部ｉを除いたリモコンの各送信部は各コンピューターの該当受信部に非活性化命令を送って、過程４は、前記過程３で各コンピューターの該当受信部から非活性化命令を受けた該当制御部は、ｍ個の入力装置から入って来る各入力信号を無視する。
延いては、前記数台のコンピューターを制御するキットとその応用のもう一つの特徴は、前記過程２で使用者がｍ個の入力装置のうち入力装置ｊを使って入力すれば、コンピューターｉの制御部ｉは入力装置ｊの入力信号を次のように処理し、そのうちｊはｍより小さいか同じであり、ｊとｉは同じではなくて、過程２１は、入力装置ｊの制御部ｊは送信部ｉを通じて使用者の入力命令をコンピューターｉの受信部ｉに伝達し、過程２２は、コンピューターｉの制御部ｉは受信部ｉで受信された入力命令をコンピューターｉに伝達し、過程２３は、コンピューターｉはどの入力装置の入力命令であるか判断し、入力装置ｊということを確認後に入力命令を実行し、過程２４は、コンピューターｉによって実行処理された入力命令が入力装置ｊのフィードバックを要求する信号である場合、コンピューターｉの命令に従ってコンピューターｉの制御部ｉはコンピューターｉで実行処理された信号を送信部Ａを通じて入力装置ｊの受信部Ａに送って入力装置ｊの制御部ｊは実行処理した後コンピューターｉに再伝送する。
本発明による数台のコンピューターを制御するキットの他の特徴は、ｎ個のコンピューター、ｍ個の入力装置、１個のリモコンで構成されていて、そのうち、各コンピューターには各チャンネルごとに周波数チャンネルがお互いに同じ受信部と入力命令信号処理及び該当受信部を制御する制御部があって、各入力装置には周波数が同じ送信部と入力を担当する入力部と入出力信号処理及び入力装置内部にあるモジュールを制御する制御部があって、リモコンは送信部と各チャンネルを選択することができるｎ個のチャンネル選択ボタンと入力信号処理及びリモコン内部のモジュールを制御する制御部Ｒがあり、ｎ個のコンピューターの受信部とリモコンの送信部とｍ個の入力装置にある送信部は同じ周波数であり、前記ｎ個のコンピューターで選択されたコンピューターとｍ個の入力装置をリモコンを通じて連結されている。そのうちｎとｍは同じであるか違って、ｉはｎより小さいか同じである。
この特徴において、前記数のコンピュータを制御するキットのもう一つの特徴は、前記ｎ個のコンピューターのうちに各コンピューターには周波数チャンネルが同じ送信部Ｂがあって、前記ｍ個の入力装置中に各入力装置には周波数チャンネルが同じ受信部Ｂがあって、そのうち、ｎ個のコンピューターの送信部Ｂとｍ個の入力装置の受信部Ｂは同じ周波数チャンネルであり、コンピューターの制御部はコンピューターが処理した信号を送信部Ｂを通じて入力装置の受信部Ｂに伝達する。
この特徴において、前記数のコンピュータを制御するキットやその応用のもう一つの特徴は、使用者がリモコンで任意のチャンネル選択ボタンｉを押せば、次のようなプロセッサを実行し、過程１は、リモコンの制御部Ｒはリモコンの送信部Ｒを通じてｎ個のコンピューターにコンピューターｉの活性化命令を送って、過程２は、コンピューターｉの受信部ｉを通じてコンピューターｉの活性化信号を受けたコンピューターｉの制御部ｉはｍ個の入力装置から入力信号が入って来ればコンピューターｉに送って、過程３は、コンピューターｉを除いた残りのコンピューターの制御部も該当受信部を通じてコンピューターｉの活性化命令を受信し、過程４は、その他コンピューターの制御部は前記過程３で受信された命令を非活性命令で認識し、ｍ個の入力装置から入って来る入力信号を無視する。
延いては、前記数のコンピュータを制御するキットやその応用のもう一つの特徴は、使用者がリモコンで任意のチャンネル選択ボタンｉを押せば、次のようなプロセッサを実行し、過程１は、リモコンの制御部Ｒはリモコンの送信部Ｒを通じてｎ個のコンピューターにコンピューターｉの活性化命令を送って、過程２は、コンピューターｉの受信部ｉを通じてコンピューターｉの活性化信号を受けたコンピューターｉの制御部ｉはｍ個の入力装置から入力信号が入って来ればコンピューターｉに送って、過程３は、コンピューターｉを除いた残りのコンピューターの制御部も該当受信部を通じてコンピューターｉの活性化命令を受信し、過程４は、その他コンピューターの制御部は前記過程３で受信された命令を非活性命令で認識し、ｍ個の入力装置から入って来る入力信号を無視する。
延いては、前記数のコンピュータを制御するキットやその応用のもう一つの特徴は、前記過程２で使用者がｍ個の入力装置のうち入力装置ｊを使って入力すれば、コンピューターｉの制御部ｉは入力装置ｊの入力信号を次のように処理し、そのうちｊはｍより小さいか同じであり、ｊとｉは同じではなくて、過程２１は、入力装置ｊの制御部ｊは送信部ｉを通じて使用者の入力命令をコンピューターｉの受信部ｉに伝達し、過程２２は、コンピューターｉの制御部ｉは受信部ｉで受信された入力命令をコンピューターｉに伝達し、過程２３は、コンピューターｉはどの入力装置の入力命令であるか判断し、入力装置ｊということを確認後に入力命令を実行し、過程２４は、コンピューターｉによって実行処理された入力命令が入力装置ｊのフィードバックを要求する信号である場合、コンピューターｉの命令に従ってコンピューターｉの制御部ｉはコンピューターｉで実行処理された信号を送信部Ｂを通じて入力装置ｊの受信部Ｂに送って入力装置ｊの制御部ｊは実行処理した後コンピューターｉに再伝送する。
本発明による数台のコンピューターを制御するキットで提供する特徴は、無線マウス、無線キーボード、２個のレシーバー、２台のコンピューターを構成し、そのうちで、各レシーバーには受信部と制御部とＬＥＤで構成され、無線マウスａはレシーバーａの受信部ａに入力信号を伝達するマウス送信部ａとレシーバーｂの受信部ｂに入力信号を伝達するマウス送信部ｂと無線マウスａの入出力信号処理及び無線マウスａの内部にあるモジュールを制御するマウス制御部ａと２台のコンピューター間のチャンネル転換が可能なチャンネル選択ボタンａとチャンネル選択ボタンｂがあって、無線キーボードａはレシーバーａの受信部ａに入力信号を伝達するキーボード送信部ａとレシーバーｂの受信部ｂに入力信号を伝達するキーボード送信部ｂと無線キーボードａの入出力信号処理及び無線キーボードａ内部のモジュールを制御する制御部ａがあって、レシーバーａはマウス送信部ａとキーボード送信部ａで送信される信号を受信する受信部ａとレシーバーａの動作状態を表示するＬＥＤａと受信された入力信号処理及びレシーバーａの内部にあるモジュールを制御する制御部ａがあって、レシーバーｂはマウス送信部ｂとキーボード送信部ｂで送信される信号を受信する受信部ｂとレシーバーｂの動作状態を表示するＬＥＤｂと受信された入力信号処理及びレシーバーｂの内部にあるモジュールを制御する制御部ｂがあって、レシーバーａにはコンピューターａが連結され、レシーバーｂにはコンピューターｂが連結されているし、そのうち、前記マウス送信部ａ、キーボード送信部ａ、レシーバーａの受信部ａは同じ周波数チャンネルであり、マウス送信部ｂ、キーボード送信部ｂ、レシーバーｂの受信部ｂは同じ周波数チャンネルを使用する。この特徴において、前記数のコンピュータを制御するキットの他の特徴は、レシーバーａは送信部ｅ１を、レシーバーｂは送信部ｅ２を、無線マウスａはマウス受信部ｅを、無線キーボードａはキーボード受信部ｅをさらに含ませて構成して、そのうち、マウス受信部ｅとキーボード受信部ｅはレシーバーａの送信部ｅ１とレシーバーｂの送信部ｅ２から伝送される信号を受信して、レシーバーａの送信部ｅ１、レシーバーｂの送信部ｅ２、マウス受信部ｅ、キーボード受信部ｅは同じ周波数チャンネルを使用する。
この特徴において、前記数のコンピュータを制御するキットのもう一つの特徴は、本発明の無線マウスａは、その外部の要素として、前方側左側に形成されたマウス左側ボタンと、前記マウス左側ボタンと対称される位置に形成されたマウス右側ボタンと、前記マウス左側ボタンとマウス右側ボタンとの間に形成されたスクロールボタンと、前記マウス左側ボタンの側面に前後方に並んで形成されたチャンネル選択ボタンａ及びチャンネル選択ボタンｂで構成される。
本発明が数台のコンピューターを制御するキットで提供する他の特徴は、無線マウス、無線キーボード、２個のレシーバー、２台のコンピューターで構成されていて、そのうちで、各レシーバーには受信部と制御部とＬＥＤで構成されていて、無線マウスａはレシーバーａの受信部ａとレシーバーｂの受信部ｂに入力信号を伝達するマウス送信部ａｂと無線マウスａの入出力信号処理及び無線マウスａの内部にあるモジュールを制御するマウス制御部ａと２台のコンピューター間のチャンネル転換が可能なチャンネル選択ボタンａとチャンネル選択ボタンｂがあって、無線キーボードａはレシーバーａの受信部ａとレシーバーｂの受信部ｂに入力信号を伝達するキーボード送信部ａｂと無線キーボードａの入出力信号処理及び無線キーボードａ内部のモジュールを制御する制御部ａがあって、レシーバーａはマウス送信部ａｂとキーボード送信部ａｂで送信される信号を受信する受信部ａとレシーバーａの動作状態を表示するＬＥＤａと受信された入出力信号処理及びレシーバーａの内部にあるモジュールを制御する制御部ａがあって、レシーバーｂはマウス送信部ａｂとキーボード送信部ａｂで送信される信号を受信する受信部ｂとレシーバーｂの動作状態を表示するＬＥＤｂと受信された入出力信号処理及びレシーバーｂの内部にあるモジュールを制御する制御部ｂがあって、レシーバーａにはコンピューターａが連結され、レシーバーｂにはコンピューターｂが連結されているし、そのうち、マウス送信部ａｂ、キーボード送信部ａｂ、レシーバーａの受信部ａ、レシーバーｂの受信部ｂは同じチャンネルを使用する。
この特徴において、前記数のコンピュータを制御するキットのもう一つの特徴は、レシーバーａは送信部ｅ１を、レシーバーｂは送信部ｅ２を、無線マウスａはマウス受信部ｅを、無線キーボードａはキーボード受信部ｅをさらに含ませて構成して、そのうち、マウス受信部ｅとキーボード受信部ｅはレシーバーａの送信部ｅ１とレシーバーｂの送信部ｅ２から伝送される信号を受信して分別して、レシーバーａの送信部ｅ１、レシーバーｂの送信部ｅ２、マウス受信部ｅ、キーボード受信部ｅは同じチャンネルを使用する。
この特徴において、前記数のコンピュータを制御するキットのもう一つの特徴は、本発明の無線マウスａは、その外部の要素として、前方側左側に形成されたマウス左側ボタンと、前記マウス左側ボタンと対称される位置に形成されたマウス右側ボタンと、前記マウス左側ボタンとマウス右側ボタンとの間に形成されたスクロールボタンと、前記マウス左側ボタンの側面に前後方に並んで形成されたチャンネル選択ボタンａ及びチャンネル選択ボタンｂで構成される。
【発明の効果】
【０００５】
本発明によれば、数台のコンピューターを１台の無線マウスと無線キーボードでコンピューターを選択的に使用することが可能であるので、費用節減、作業空間の効率性が改善され、無線マウスにあるチャンネル選択ボタンだけで無線キーボードも無線マウスが指定したコンピューターにデータ入力が可能で使用者の便宜性が改善される効果を持っている。
本発明によれば、使用者が使おうとするコンピューターに無線キーボードも同時にフォーカシングを移動させる無線マウスのチャンネル選択ボタンの機能が無線マウスと無線キーボード間の別途の送受信できる通信手段があるように見えるようにするものの、実際ではそのような通信手段がない。
そして無線マウスと無線キーボードが使用時には、”Ｗａｋｅ  Ｕｐ  Ｍｏｄｅ”で、不使用時には”Ｓｌｅｅｐ  Ｍｏｄｅ”で動作できるように構成が可能で長期間使用することができる効果を持っている。
【図面の簡単な説明】
【０００６】
【図１】本発明の無線マウスの構造説明図。
【図２】本発明による周波数を異にした方式の単方向無線マウス、単方向無線キーボード、２台のコンピューターで構成されたシステムブロック図。
【図３】本発明による周波数を異にした方式の両方向無線マウス、両方向無線キーボード、２台のコンピューターで構成したシステムブロック図。
【図４】本発明による同じ周波数でチャンネルを分割した方式の単方向無線マウス、単方向無線キーボード、２台のコンピューターで構成したシステムブロック図。
【図５】本発明による同じ周波数でチャンネルを分割した方式の両方向無線マウス、両方向無線キーボード、２台のコンピューターで構成したシステムブロック図。
【図６】本発明による複数のコンピューターのうち使用者が願う装備に複数の入力装置で操作ができるようにする方法のうち周波数を異にした方式の単方向型ブロック図。
【図７】本発明による複数のコンピューターのうち使用者が願う装備に複数の入力装置で操作ができるようにする方法のうち周波数を異にした方式の両方向型ブロック図。
【図８】本発明による複数のコンピューターのうち使用者が願う装備に複数の入力装置で操作ができるようにする方法のうち同じ周波数でチャンネルを分割した方式の単方向型ブロック図。
【図９】本発明による複数のコンピューターのうち使用者が願う装備に複数の入力装置で操作ができるようにする方法のうち同じ周波数でチャンネルを分割した方式の両方向型ブロック図。
【発明を実施するための形態】
【０００７】
図１〜図９で、本発明の具体的な実行方式を提示する。それは発明に関しては進一歩した説明をしたが、それは発明に限定された具体的な敍述をしなかった。
まず、基本的な機能を有したマウスとキーボードの本発明の特徴を説明する。
図１で、本発明の無線マウスは、その外部の要素として、前方側左側に形成されたマウス左側ボタンと、前記マウス左側ボタンと対称される位置に形成されたマウス右側ボタンと、前記マウス左側ボタンとマウス右側ボタンとの間に形成されたスクロールボタンと、前記マウス左側ボタンの側面に前後方に並んで形成されたチャンネル選択ボタン１及びチャンネル選択ボタン２でなされる。
無線キーボードは外形的に”ＱＷＥＲＴＹ”文字のキーが配列されたキーボードである。チャンネル選択ボタンを無線キーボードにも装着して使用可能でトグルボタンでも適用可能であるが、このようなことは本発明の思想範囲に含まれる。
内容説明を手短にするために、チャンネル選択ボタンの入力動作を除いた無線マウスのマウス左側ボタン、マウス右側ボタン、スクロールボタンなどの入力動作を簡単にマウス入力であると名付けて、無線キーボードの文字キーの入力動作をキーボード入力であると名付ける。
本発明によって、無線マウスと無線キーボードの送信部がそれぞれのレシーバーにある受信部と通信するためには、各対の送受信部に通信チャンネルが分離されなければならないが、通信チャンネルを分離する方式は、周波数を異にする方式と、同じ周波数であるが時分割やコード分割、あるいはその他の方法でチャンネルを分割する方式がある。
【０００８】
図２は、本発明による周波数を異にした方式の単方向無線マウス、単方向無線キーボード、２台のコンピューターで構成されたシステムブロック図である。
図２で、本発明の無線マウスａ（３００）は、レシーバーａ（２００）の受信部ａ（２２０）に入力信号を送るマウス送信部ａ（３１０）と、レシーバーｂ（２０１）の受信部ｂ（２２１）に入力信号を送るマウス送信部ｂ（３１１）と、無線マウスａ（３００）の入出力信号処理及び無線マウスａ（３００）の内部にあるモジュールらを制御するマウス制御部ａ（３３０）と、使用者が願うコンピューターを選択することができるようにするチャンネル選択ボタンａ（３６０）とチャンネル選択ボタンｂ（３６１）でなされる。
本発明の無線キーボードａ（４００）は、レシーバーａ（２００）の受信部ａ（２２０）に入力信号を送るキーボード送信部ａ（４１０）と、レシーバーｂ（２０１）の受信部ｂ（２２１）に入力信号を送るキーボード送信部ｂ（４１１）と、無線キーボードａ（４００）の入出力信号処理及び無線キーボードａ（４００）内部にあるモジュールらを制御するキーボード制御部ａ（４３０）がある。
コンピューターａ（１００）にはレシーバーａ（２００）が連結されていて、コンピューターｂ（１０１）にはレシーバーｂ（２０１）が連結されている。
前記レシーバーａ（２００）は、マウス送信部ａ（３１０）とキーボード送信部ａ（４１０）で伝送される信号を受信する受信部ａ（２２０）と、レシーバーａ（２００）の動作状態を表示するＬＥＤａ（２５０）と、入出力信号処理及びレシーバーａ（２００）の内部にあるモジュールらを制御する制御部ａ（２３０）で構成される。
前記レシーバーｂ（２０１）はマウス送信部ｂ（３１１）とキーボード送信部ｂ（４１１）に送り出しされる信号を受信する受信部ｂ（２２１）と、レシーバーｂ（２０１）の動作状態を表示するＬＥＤｂ（２５１）と、入出力信号処理及びレシーバーｂ（２０１）の内部にあるモジュールらを制御する制御部ｂ（２３１）で構成される。
マウス送信部ａ（３１０）、キーボード送信部ａ（４１０）、レシーバーａ（２００）の受信部ａ（２２０）は同じ周波数チャンネルであり、マウス送信部ｂ（３１１）、キーボード送信部ｂ（４１１）、レシーバーｂ（２０１）の受信部ｂ（２２１）は同じ周波数チャンネルである。
【０００９】
前記チャンネル選択ボタンａ（３６０）を押せば、マウス制御部ａ（３３０）は下のプロセスを進行するようになる。
過程１は、マウス送信部ａ（３１０）はレシーバーａ（２００）の受信部ａ（２２０）に”活性化”信号を送って、前記過程１でレシーバーａ（２００）の受信部ａ（２２０）から”活性化”信号を受けたレシーバーａ（２００）の制御部ａ（２３０）はＬＥＤａ（２５０）をつけて、マウス入力やキーボード入力が入って来ればコンピューターａ（１００）に送る。
過程２は、マウス送信部ｂ（３１１）はレシーバーｂ（２０１）の受信部ｂ（２２１）に”非活性化”信号を送って、前記過程２でレシーバーｂ（２０１）の受信部ｂ（２２１）から”非活性化”信号を受けたレシーバーｂ（２０１）の制御部ｂ（２３１）はＬＥＤｂ（２５１）を消して、マウス入力やキーボード入力が入って来ればコンピューターｂ（１０１）に送らないで無視する。
過程３は、前記過程１と過程２を実行後、マウス送信部ｂ（３１１）自分は”非動作状態”になる。ここで、上記の過程３を省略しても正常に動作をするが、無線マウスのバッテリー消耗量をもっと減らすことができる方法である。
前記過程１、過程２、過程３が進行された後の状態を整理すれば、マウス送信部ａ（３１０）は”動作待機状態”であり、レシーバーａ（２００）は”活性化”状態であり、ＬＥＤａ（２５０）はついているし、マウス送信部ｂ（３１１）は”非動作状態”であり、レシーバーｂ（２０１）は”非活性化”状態であり、ＬＥＤｂ（２５１）は消えている状態である。
前記の状態で、マウス入力やキーボード入力が入って来ればコンピューターａ（１００）だけ動作するようになる。
これとは異なり、チャンネル選択ボタンｂ（３６１）を押せば、マウス制御部ａ（３３０）は下のプロセスを進行するようになる。
過程４は、マウス送信部ｂ（３１１）はレシーバーｂ（２０１）の受信部ｂ（２２１）に”活性化”信号を送って、前記過程４でレシーバーｂ（２０１）の受信部ｂ（２２１）から”活性化”信号を受けたレシーバーｂ（２０１）の制御部ｂ（２３１）はＬＥＤｂ（２５１）をつけて、マウス入力やキーボード入力が入って来ればコンピューターｂ（１０１）に送る。
過程５は、マウス送信部ａ（３１０）はレシーバーａ（２００）の受信部ａ（２２０）に”非活性化”信号を送って、前記過程５でレシーバーａ（２００）の受信部ａ（２２０）から”非活性化”信号を受けたレシーバーａ（２００）の制御部ａ（２３０）はＬＥＤａ（２５０）を消して、マウス入力やキーボード入力が入って来ればコンピューターａ（１００）に送らないで無視する。
過程６は、前記過程４と過程５を実行後、マウス送信部ａ（３１０）自身は”非動作状態”になる。
前記過程４、過程５、過程６が進行された後の状態を整理すれば、マウス送信部ｂ（３１１）は”動作待機状態”であり、レシーバーｂ（２０１）は”活性化”状態であり、ＬＥＤｂ（２５１）はついているし、マウス送信部ａ（３１０）は”非動作状態”であり、レシーバーａ（２００）は”非活性化”状態であり、ＬＥＤａ（２５０）は消えている状態である。
前記の状態で、マウス入力やキーボード入力が入って来ればコンピューターｂ（１０１）だけ動作するようになる。
前記無線マウスａ（３００）のマウス入力はマウス制御部ａ（３３０）によって”動作待機状態”にあるマウス送信部のみを通じて送り出しされ、同じチャンネルを有したレシーバーの受信部に伝達し、”非動作状態”のマウス送信部は動作をしない。
前記無線マウスａ（３００）とは異なり、無線キーボードａ（４００）のキーボード入力はキーボード制御部ａ（４３０）によってキーボード送信部ａ（４１０）とキーボード送信部ｂ（４１１）を通じてレシーバーａ（２００）とレシーバーｂ（２０１）に同時に伝達するが、”活性化”されているレシーバーのコンピューターだけ動作し、”非活性化”されたレシーバーのコンピューターは動作をしない。
前記内容で表記した”活性化”、”非活性化”、”非動作状態”、”動作待機状態”は、特定命令信号によって該当制御部が該当プロセスを行った後の状態を意味し、説明を簡便にさせるために本来有した用語の意味とマッチングをさせて記述した。
レシーバーの”活性化”は、マウス入力やキーボード入力が選択されたレシーバーの受信部を通じてレシーバーの制御部に入って来た時、レシーバーの制御部は連結されたコンピューターに送ってコンピューターがマウスやキーボードの入力が実行されるようにする状態を意味して、レシーバーの”非活性化”はマウス入力やキーボード入力が選択されたレシーバーの受信部を通じてレシーバーの制御部に入って来た時、レシーバーの制御部は該当コンピューターに下ろさないで無視する状態を意味する。すなわち、”非活性化”されたレシーバーは、無線マウスのチャンネル選択ボタンの操作を除いたマウスやキーボードの入力に動作しない。
マウス送信部の”非動作状態”は、チャンネル選択ボタンに生成される信号を除いて、マウス入力が該当マウス送信部を通じて送り出しが不可能な状態を意味する。
マウス送信部の”動作待機状態”は、チャンネル選択ボタンに生成される信号とマウス入力が該当マウス送信部を通じて送り出しが可能な状態を意味する。
【００１０】
図３は、本発明による周波数を異にした方式の両方向無線マウス、両方向無線キーボード、２台のコンピューターで構成したシステムブロック図である。
図３で、本発明の無線マウスｃ（３０２）は、レシーバーｃ（２０２）の受信部ｃ（２２２）に入力信号を送るマウス送信部ｃ（３１２）と、レシーバーｄ（２０３）の受信部ｄ（２２３）に入力信号を送るマウス送信部ｄ（３１３）と、レシーバーｃ（２０２）の送信部ｅ１（２１４ａ）とレシーバーｄ（２０３）の送信部ｅ２（２１４ｂ）から送り出しされる信号を受信するマウス受信部ｅ（３２４）と、無線マウスｃ（３０２）の入出力信号処理及び無線マウスｃ（３０２）の内部にあるモジュールらを制御するマウス制御部ｃ（３３２）と、使用者が願うコンピューターを選択することができるようにするチャンネル選択ボタンｃ（３６２）とチャンネル選択ボタンｄ（３６３）でなされる。
本発明の無線キーボードｃ（４０２）は、レシーバーｃ（２０２）の受信部ｃ（２２２）に入力信号を送るキーボード送信部ｃ（４１２）と、レシーバーｄ（２０３）の受信部ｄ（２２３）に入力信号を送るキーボード送信部ｄ（４１３）と、レシーバーｃ（２０２）の送信部ｅ１（２１４ａ）とレシーバーｄ（２０３）の送信部ｅ２（２１４ｂ）から送り出しされる信号を受信するキーボード受信部ｅ（４２４）と、無線キーボードｃ（４０２）の入出力信号処理及び無線キーボードｃ（４０２）内部にあるモジュールらを制御するキーボード制御部ｃ（４３２）がある。
コンピューターｃ（１０２）にはレシーバーｃ（２０２）が連結されていて、コンピューターｄ（１０３）にはレシーバーｄ（２０３）が連結されている。
前記レシーバーｃ（２０２）は、マウス送信部ｃ（３１２）とキーボード送信部ｃ（４１２）で伝送される信号を受信する受信部ｃ（２２２）と、マウス受信部ｅ（３２４）とキーボード受信部ｅ（４２４）に信号を送る送信部ｅ１（２１４ａ）と、レシーバーｃ（２０２）の動作状態を表示するＬＥＤｃ（２５２）と、入出力信号処理及びレシーバーｃ（２０２）の内部にあるモジュールらを制御する制御部ｃ（２３２）で構成される。
前記レシーバーｄ（２０３）はマウス送信部ｄ（３１３）とキーボード送信部ｄ（４１３）に送り出しされる信号を受信する受信部ｄ（２２３）と、マウス受信部ｅ（３２４）とキーボード受信部ｅ（４２４）に信号を送る送信部ｅ２（２１４ｂ）と、レシーバーｄ（２０３）の動作状態を表示するＬＥＤｄ（２５３）と、入出力信号処理及びレシーバーｄ（２０３）の内部にあるモジュールらを制御する制御部ｄ（２３３）で構成される。
マウス送信部ｃ（３１２）、キーボード送信部ｃ（４１２）、レシーバーｃ（２０２）の受信部ｃ（２２２）は同じ周波数チャンネルであり、マウス送信部ｄ（３１３）、キーボード送信部ｄ（４１３）、レシーバーｄ（２０３）の受信部ｄ（２２３）は同じ周波数チャンネルであり、レシーバーｃ（２０２）の送信部ｅ１（２１４ａ）、レシーバーｄ（２０３）の送信部ｅ２（２１４ｂ）、マウス受信部ｅ（３２４）、キーボード受信部ｅ（４２４）は同じ周波数チャンネルである。
チャンネル選択ボタンｃ（３６２）を押せば、マウス制御部ｃ（３３２）は下のプロセスを進行するようになる。
過程７は、マウス送信部ｃ（３１２）はレシーバーｃ（２０２）の受信部ｃ（２２２）に”活性化”信号を送って、前記過程７でレシーバーｃ（２０２）の受信部ｃ（２２２）から”活性化”信号を受けたレシーバーｃ（２０２）の制御部ｃ（２３２）はＬＥＤｃ（２５２）をつけて、マウス入力やキーボード入力が入って来ればコンピューターｃ（１０２）に送る。
過程８は、マウス送信部ｄ（３１３）はレシーバーｄ（２０３）の受信部ｄ（２２３）に”非活性化”信号を送って、前記過程８でレシーバーｄ（２０３）の受信部ｄ（２２３）から”非活性化”信号を受けたレシーバーｄ（２０３）の制御部ｄ（２３３）はＬＥＤｄ（２５３）を消して、マウス入力やキーボード入力が入って来ればコンピューターｄ（１０３）に送らないで無視する。
過程９は、前記過程７と過程８を実行後、マウス送信部ｄ（３１３）自分は”非動作状態”になる。
前記過程７、過程８、過程９が進行された後の状態を整理すれば、マウス送信部ｃ（３１２）は”動作待機状態”であり、レシーバーｃ（２０２）は”活性化”状態であり、ＬＥＤｃ（２５２）はついているし、マウス送信部ｄ（３１３）は”非動作状態”であり、レシーバーｄ（２０３）は”非活性化”状態であり、ＬＥＤｄ（２５３）は消えている状態である。
前記の状態で、マウス入力やキーボード入力が入って来ればコンピューターｃ（１０２）だけ動作するようになる。
これとは異なり、チャンネル選択ボタンｄ（３６３）を押せば、マウス制御部ｃ（３３２）は下のプロセスを進行するようになる。
過程１０は、マウス送信部ｄ（３１３）はレシーバーｄ（２０３）の受信部ｄ（２２３）に”活性化”信号を送って、前記過程１０でレシーバーｄ（２０３）の受信部ｄ（２２３）から”活性化”信号を受けたレシーバーｄ（２０３）の制御部ｄ（２３３）はＬＥＤｄ（２５３）をつけて、マウス入力やキーボード入力が入って来ればコンピューターｄ（１０３）に送る。
過程１１は、マウス送信部ｃ（３１２）はレシーバーｃ（２０２）の受信部ｃ（２２２）に”非活性化”信号を送って、前記過程１１でレシーバーｃ（２０２）の受信部ｃ（２２２）から”非活性化”信号を受けたレシーバーｃ（２０２）の制御部ｃ（２３２）はＬＥＤｃ（２５２）を消して、マウス入力やキーボード入力が入って来ればコンピューターｃ（１０２）に送らないで無視する。
過程１２は、前記過程１０と過程１１を実行後、マウス送信部ｃ（３１２）自分は”非動作状態”になる。
前記過程１０、過程１１、過程１２が進行された後の状態を整理すれば、マウス送信部ｄ（３１３）は”動作待機状態”であり、レシーバーｄ（２０３）は”活性化”状態であり、ＬＥＤｄ（２５３）はついているし、マウス送信部ｃ（３１２）は”非動作状態”であり、レシーバーｃ（２０２）は”非活性化”状態であり、ＬＥＤｃ（２５２）は消えている状態である。
前記の状態で、マウス入力やキーボード入力が入って来ればコンピューターｄ（１０３）だけ動作するようになる。
無線マウスｃ（３０２）のマウス入力はマウス制御部ｃ（３３２）によって”動作待機状態”にあるマウス送信部のみを通じて送り出しされ、同じチャンネルを有したレシーバーの受信部に伝達し、”非動作状態”のマウス送信部は動作をしない。
前記無線マウスｃ（３０２）とは異なり、無線キーボードｃ（４０２）のキーボード入力はキーボード制御部ｃ（４３２）によってキーボード送信部ｃ（４１２）とキーボード送信部ｄ（４１３）を通じてレシーバーｃ（２０２）とレシーバーｄ（２０３）に同時に伝達するが、”活性化”されているレシーバーのコンピューターだけ動作し、”非活性化”されたレシーバーのコンピューターは動作をしない。
前記内容で無線キーボードが２個の送信部を使って同時に２個のレシーバーに入力信号を送り出す形態で記述されているが、１個の送信部だけ使って”活性化”されたレシーバーに送り出すことも可能である。なぜなら、レシーバーにも送信部があるため、”非活性化”されたレシーバーの状態情報を無線キーボードに知らせて無線キーボードの該当送信部を”非動作状態”にすることができるためである。そして、単方向送受信型に比べて、両方向送受信型の長所はコンピューターが無線マウスと無線キーボードの状態値を読めて無線マウスと無線キーボードのバッテリー寿命測定が可能であり、故障診断チェックもできて、必要によって使用者が両方向でできる機能を挿入して多様に商品を製作することができる。
【００１１】
図４は、本発明による同じ周波数でチャンネルを分割した方式の単方向無線マウス、単方向無線キーボード、２台のコンピューターで構成したシステムブロック図である。
図４で、本発明の無線マウスｆ（３０５）はレシーバーｆ（２０５）の受信部ｆ（２２５）とレシーバーｇ（２０６）の受信部ｇ（２２６）に入力信号を送るマウス送信部ｆｇ（３１５）と、無線マウスｆ（３０５）の入出力信号処理及び無線マウスｆ（３０５）の内部にあるモジュールらを制御するマウス制御部ｆ（３３５）があって、使用者が願うコンピューターを選択することができるようにするチャンネル選択ボタンｆ（３６５）とチャンネル選択ボタンｇ（３６６）でなされる。
本発明の無線キーボードｆ（４０５）は、レシーバーｆ（２０５）の受信部ｆ（２２５）とレシーバーｇ（２０６）の受信部ｇ（２２６）に入力信号を送るキーボード送信部ｆｇ（４１５）と、無線キーボードｆ（４０５）の入出力信号処理及び無線キーボードｆ（４０５）内部にあるモジュールらを制御するキーボード制御部ｆ（４３５）で構成される。
コンピューターｆ（１０５）はレシーバーｆ（２０５）が連結されていて、コンピューターｇ（１０６）にはレシーバーｇ（２０６）が連結されている。
前記レシーバーｆ（２０５）はマウス送信部ｆｇ（３１５）とキーボード送信部ｆｇ（４１５）で送り出しされる信号を受信する受信部ｆ（２２５）と、レシーバーｆ（２０５）の動作状態を表示するＬＥＤｆ（２５５）と、入出力信号処理及びレシーバーｆ（２０５）の内部にあるモジュールらを制御する制御部ｆ（２３５）で構成される。
前記レシーバーｇ（２０６）にはマウス送信部ｆｇ（３１５）とキーボード送信部ｆｇ（４１５）で送り出しされる信号を受信する受信部ｇ（２２６）と、レシーバーｇ（２０６）の動作状態を表示するＬＥＤｇ（２５６）と、入出力信号処理及びレシーバーｇ（２０６）の内部にあるモジュールらを制御する制御部ｇ（２３６）で構成される。
マウス送信部ｆｇ（３１５）、キーボード送信部ｆｇ（４１５）、レシーバーｆ（２０５）の受信部ｆ（２２５）、レシーバーｇ（２０６）の受信部ｇ（２２６）は同じ周波数を使用する。
チャンネル選択ボタンｆ（３６５）を押せば、マウス制御部ｆ（３３５）はマウス送信部ｆｇ（３１５）を通じてレシーバーｆ（２０５）の受信部ｆ（２２５）とレシーバーｇ（２０６）の受信部ｇ（２２６）に“レシーバーｆの活性化”信号を送る。“レシーバーｆの活性化”信号を受けたレシーバーｆ（２０５）の制御部ｆ（２３５）はＬＥＤｆ（２５５）をつけて、マウス入力やキーボード入力が入って来ればコンピューターｆ（１０５）に送る。
これと同時に、“レシーバーｆの活性化”信号を受けたレシーバーｇ（２０６）の制御部ｇ（２３６）はＬＥＤｇ（２５６）を消して、マウス入力やキーボード入力が入って来ればコンピューターｇ（１０６）に送らないで無視する。
チャンネル選択ボタンｆ（３６５）を押した後の進行された状態を整理すれば、レシーバーｆ（２０５）は”活性化”状態であり、ＬＥＤｆ（２５５）はついているし、レシーバーｇ（２０６）は”非活性化”状態であり、ＬＥＤｇ（２５６）は消えている状態である。
前記の状態で、マウス入力やキーボード入力が入って来ればコンピューターｆ（１０５）だけ動作するようになる。
チャンネル選択ボタンｇ（３６６）を押せば、マウス制御部ｆ（３３５）はマウス送信部ｆｇ（３１５）を通じてレシーバーｆ（２０５）の受信部ｆ（２２５）とレシーバーｇ（２０６）の受信部ｇ（２２６）に“レシーバーｇの”活性化””信号を送る。“レシーバーｇの活性化”信号を受けたレシーバーｇ（２０６）の制御部ｇ（２３６）はＬＥＤｇ（２５６）をつけて、マウス入力やキーボード入力が入って来ればコンピューターｇ（１０６）に送る。
これと同時に、“レシーバーｇの活性化”信号を受けたレシーバーｆ（２０５）の制御部ｆ（２３５）はＬＥＤｆ（２５５）を消して、マウス入力やキーボード入力が入って来ればコンピューターｆ（１０５）に送らないで無視する。
チャンネル選択ボタンｇ（３６６）を押した後の進行された状態を整理すれば、レシーバーｇ（２０６）は”活性化”状態であり、ＬＥＤｇ（２５６）はついているし、レシーバーｆ（２０５）は”非活性化”状態であり、ＬＥＤｆ（２５５）は消えている状態である。
前記の状態で、マウス入力やキーボード入力が入って来ればコンピューターｇ（１０６）だけ動作するようになる。
無線マウスｆ（３０５）のマウス入力は、マウス制御部ｆ（３３５）によってマウス送信部ｆｇ（３１５）を通じてレシーバーｆ（２０５）の受信部ｆ（２２５）とレシーバーｇ（２０６）の受信部ｇ（２２６）に伝達されるが、”活性化”されているレシーバーのコンピューターだけ動作し、”非活性化”されたレシーバーのコンピューターは動作しない。
無線キーボードｆ（４０５）は無線マウスｆ（３０５）と同様に、キーボード入力がキーボード送信部ｆｇ（４１５）を通じてレシーバーｆ（２０５）の受信部ｆ（２２５）とレシーバーｇ（２０６）の受信部ｇ（２２６）に伝達するが、”活性化”されているレシーバーのコンピューターだけ動作し、”非活性化”されたレシーバーのコンピューターは動作しない。ここで、無線マウスｆと無線キーボードｆの信号入力が同時に実行された時、同じ周波数であるので周波数衝突が予想されるが、他のチャンネルで構成されている。
【００１２】
図５は、本発明による同じ周波数でチャンネルを分割した方式の両方向無線マウス、両方向無線キーボード、２台のコンピューターで構成したシステムブロック図である。
図５で、本発明の無線マウスｈ（３０７）はレシーバーｈ（２０７）の受信部ｈ（２２７）とレシーバーｉ（２０８）の受信部ｉ（２２８）に入力信号を送るマウス送信部ｈｉ（３１７）と、レシーバーｈ（２０７）の送信部ｊ１（２１９ａ）とレシーバーｉ（２０８）の送信部ｊ２（２１９ｂ）から送り出しされる信号を受信するマウス受信部ｊ（３２９）と、無線マウスｈ（３０７）の入出力信号処理及び無線マウスｈ（３０７）の内部にあるモジュールらを制御するマウス制御部ｈ（３３７）があって、使用者が願うコンピューターを選択することができるようにするチャンネル選択ボタンｈ（３６７）とチャンネル選択ボタンｉ（３６８）でなされる。
本発明の無線キーボードｈ（４０７）は、レシーバーｈ（２０７）の受信部ｈ（２２７）とレシーバーｉ（２０８）の受信部ｉ（２２８）に入力信号を送るキーボード送信部ｈｉ（４１７）と、レシーバーｈ（２０７）の送信部ｊ１（２１９ａ）とレシーバーｉ（２０８）の送信部ｊ２（２１９ｂ）から送り出しされる信号を受信するキーボード受信部ｊ（４２９）と、無線キーボードｈ（４０７）の入出力信号処理及び無線キーボードｈ（４０７）内部にあるモジュールらを制御するキーボード制御部ｈ（４３７）で構成される。
コンピューターｈ（１０７）はレシーバーｈ（２０７）が連結されていて、コンピューターｉ（１０８）にはレシーバーｉ（２０８）が連結されている。
前記レシーバーｈ（２０７）はマウス送信部ｈｉ（３１７）とキーボード送信部ｈｉ（４１７）で送り出しされる信号を受信する受信部ｈ（２２７）と、マウス受信部ｊ（３２９）とキーボード受信部ｊ（４２９）に信号を送る送信部ｊ１（２１９ａ）と、レシーバーｈ（２０７）の動作状態を表示するＬＥＤｈ（２５７）と、入出力信号処理及びレシーバーｈ（２０７）の内部にあるモジュールらを制御する制御部ｈ（２３７）で構成される。
前記レシーバーｉ（２０８）にはマウス送信部ｈｉ（３１７）とキーボード送信部ｈｉ（４１７）で送り出しされる信号を受信する受信部ｉ（２２８）と、マウス受信部ｊ（３２９）とキーボード受信部ｊ（４２９）に信号を送る送信部ｊ２（２１９ｂ）と、レシーバーｉ（２０８）の動作状態を表示するＬＥＤｉ（２５８）と、入出力信号処理及びレシーバーｉ（２０８）の内部にあるモジュールらを制御する制御部ｉ（２３８）で構成される。
マウス送信部ｈｉ（３１７）、キーボード送信部ｈｉ（４１７）、レシーバーｈ（２０７）の受信部ｈ（２２７）、レシーバーｉ（２０８）の受信部ｉ（２２８）は同じ周波数を使って、レシーバーｈ（２０７）の送信部ｊ１（２１９ａ）、レシーバーｉ（（２０８）の送信部ｊ２（２１９ｂ）、マウス受信部ｊ（３２９）、キーボード受信部ｊ（４２９）は同じ周波数を使用する。
チャンネル選択ボタンｈ（３６７）を押せば、マウス制御部ｈ（３３７）はマウス送信部ｈｉ（３１７）を通じてレシーバーｈ（２０７）の受信部ｈ（２２７）とレシーバーｉ（２０８）の受信部ｉ（２２８）に“レシーバーｈの活性化”信号を送る。“レシーバーｈの活性化”信号を受けたレシーバーｈ（２０７）の制御部ｈ（２３７）はＬＥＤｈ（２５７）をつけて、マウス入力やキーボード入力が入って来ればコンピューターｈ（１０７）に送る。これと同時に、“レシーバーｈの活性化”信号を受けたレシーバーｉ（２０８）の制御部ｉ（２３８）はＬＥＤｉ（２５８）を消して、マウス入力やキーボード入力が入って来ればコンピューターｉ（１０８）に送らないで無視する。
チャンネル選択ボタンｈ（３６７）を押した後の進行された状態を整理すれば、レシーバーｈ（２０７）は”活性化”状態であり、ＬＥＤｈ（２５７）はついているし、レシーバーｉ（２０８）は”非活性化”状態であり、ＬＥＤｉ（２５８）は消えている状態である。
前記の状態で、マウス入力やキーボード入力が入って来ればコンピューターｈ（１０７）だけ動作するようになる。
チャンネル選択ボタンｉ（３６８）を押せば、マウス制御部ｈ（３３７）はマウス送信部ｈｉ（３１７）を通じてレシーバーｈ（２０７）の受信部ｈ（２２７）とレシーバーｉ（２０８）の受信部ｉ（２２８）に“レシーバーｉの活性化”信号を送る。“レシーバーｉの活性化”信号を受けたレシーバーｉ（２０８）の制御部ｉ（２３８）はＬＥＤｉ（２５８）をつけて、マウス入力やキーボード入力が入って来ればコンピューターｉ（１０８）に送る。これと同時に、“レシーバーｉの活性化”信号を受けたレシーバーｉ（２０７）の制御部ｈ（２３７）はＬＥＤｈ（２５７）を消して、マウス入力やキーボード入力が入って来ればコンピューターｈ（１０７）に送らないで無視する。
チャンネル選択ボタンｉ（３６８）を押した後の進行された状態を整理すれば、レシーバーｉ（２０８）は”活性化”状態であり、ＬＥＤｉ（２５８）はついているし、レシーバーｈ（２０７）は”非活性化”状態であり、ＬＥＤｈ（２５７）は消えている状態である。
前記の状態で、マウス入力やキーボード入力が入って来ればコンピューターｉ（１０８）だけ動作するようになる。
無線マウスｈ（３０７）のマウス入力は、マウス制御部ｈ（３３７）によってマウス送信部ｈｉ（３１７）を通じてレシーバーｈ（２０７）の受信部ｈ（２２７）とレシーバーｉ（２０８）の受信部ｉ（２２８）に伝達されるが、”活性化”されているレシーバーのコンピューターだけ動作し、”非活性化”されたレシーバーのコンピューターは動作しない。
無線キーボードｈ（４０７）は無線マウスｈ（３０７）と同様に、キーボード入力がキーボード送信部ｈｉ（４１７）を通じてレシーバーｈ（２０７）の受信部ｈ（２２７）とレシーバーｉ（２０８）の受信部ｉ（２２８）に伝達するが、”活性化”されているレシーバーのコンピューターだけ動作し、”非活性化”されたレシーバーのコンピューターは動作しない。
【００１３】
次に説明する内容は、前記周波数チャンネル方式とチャンネル分割方式のチャンネル選択ボタン機能を詳しく説明し、応用性を確張することができる方法を説明する。
図６は、本発明による複数のコンピューターのうち使用者が願う装備に複数の入力装置で操作ができるようにする方法のうち周波数を異にした方式の単方向型ブロック図であり、図７は本発明による複数のコンピューターのうち使用者が願う装備に複数の入力装置で操作ができるようにする方法のうち周波数を異にした方式の両方向型ブロック図であり、図８は本発明による複数のコンピューターのうち使用者が願う装備に複数の入力装置で操作ができるようにする方法のうち同じ周波数でチャンネルを分割した方式の単方向型ブロック図であり、図９は本発明による複数のコンピューターのうち使用者が願う装備に複数の入力装置で操作ができるようにする方法のうち同じ周波数でチャンネルを分割した方式の両方向型ブロック図である。
前記図６乃至図９は、ｎ個のコンピューターのうちチャンネル選択ボタンを利用して使用者が願うコンピューターを選択して、ｍ個の入力装置で選択されたコンピューターを操作する方法のブロック図である。
前記図面で説明を簡素化するためにチャンネル選択ボタンを別に分離したし、各コンピューターには無線入力装置（無線マウス、無線キーボードなど）のレシーバーが内蔵されてレシーバーという用語が省略されており、ｎ個の各コンピューターに内部に表示された受信部、送信部、制御部はレシーバーにあるモジュールらである。そして、リモコンはマウスに対応して、入力装置はキーボードに対応すると見れば良い。
【００１４】
図６で、コンピューターがｎ個であり、各コンピューターには周波数チャンネルがお互いに異なる受信部が１個ずつあって、入出力信号処理及び該当受信部を制御する制御部がある。
入力装置がｍ個であり、各入力装置にはお互いに異なる周波数チャンネルを有したｎ個の送信部があって、入力を担当する入力部と、入出力信号処理および入力装置内部にある該当モジュールを制御する制御部がある。
リモコン１（８０）は、前記ｎ個のコンピューターのうち使用者が使おうとするコンピューターにｍ個の入力装置を連結する道具として、周波数チャンネルがお互いに異なるｎ個の送信部と、チャンネルを選択することができるｎ個のチャンネル選択ボタンがあって、入力信号処理及びリモコン１（８０）内部にあるモジュールを制御する制御部Ｒ（８５）がある。
コンピューター１（１０）の受信部１（１１）とリモコン１（８０）の送信部１（８１）とｍ個の各入力装置にある送信部１と同じ周波数チャンネルであり、コンピューター２（２０）の受信部２（２１）とリモコン１（８０）の送信部２（８２）とｍ個の各入力装置にある送信部２と同じ周波数チャンネルであり、コンピューターｎ（４０）の受信部ｎ（４１）とリモコン１（８０）の送信部ｎ（８４）とｍ個の各入力装置にある送信部ｎと同じ周波数チャンネルであり、任意のコンピューターｉ（３０）の受信部ｉ（３１）とリモコン１（８０）の任意の送信部ｉ（８３）とｍ個の各入力装置にある任意の送信部ｉと同じ周波数チャンネルである。
ここで、前記内容のうちコンピュータｉ、送信部ｉ、受信部ｉ、制御部ｉ、チャンネル選択ボタンｉでｉは任意のという意味であり、図６、図７、図８、図９で共通で使われる。
リモコン１（８０）にある任意のチャンネル選択ボタンｉ（８８）を押せば、リモコン１（８０）の制御部Ｒ（８５）は下のプロセスを進行するようになる。
過程１３は、リモコン１（８０）の送信部ｉ（８３）はコンピューターｉ（３０）の受信部ｉ（３１）に”活性化”信号を送って、前記過程１３でコンピューターｉ（３０）の受信部ｉ（３１）を通じて”活性化”信号を受けたコンピューターｉ（３０）の制御部ｉ（３２）はｍ個の入力装置から入力信号が入って来れば、コンピューターｉ（３０）に送る。
過程１４は、リモコン１（８０）の送信部ｉ（８３）を除いたリモコン１（８０）の各送信部は各コンピューターの該当受信部に”非活性化”信号を送る、前記過程１４で各コンピューターの該当受信部から”非活性化”命令信号を受けた該当制御部はｍ個の入力装置から入って来る各入力信号を無視する。
前記状態で、ｍ個の入力装置で各信号入力が入って来ればコンピューターｉ（３０）だけ動作するようになる。
理解を助けるために、例えば、前記内容を簡単に説明すれば、使用者がコンピューター２（２０）を使用するためにリモコン１（８０）のチャンネル選択ボタン２（８７）を押せば、リモコン１（８０）の送信部２（８２）はコンピューター２（２０）の受信部２（２１）に”活性化”信号を送って、リモコン１（８０）の送信部２（８２）を除いた残りの送信部は該当のコンピューターの受信部に”非活性化”信号を送る。前記状態で使用者が入力装置１（５０）と入力装置２（６０）を使えば、コンピューター２（２０）だけ動作するようになる。
【００１５】
図７で、コンピューターがｎ個であり、各コンピューターには周波数チャンネルがお互いに異なる受信部が１個ずつあって、同じ周波数チャンネルの送信部Ａが１個ずつあり、入出力信号処理及び該当受信部と送信部Ａを制御する制御部がある。
入力装置がｍ個であり、各入力装置にはお互いに異なる周波数チャンネルを有したｎ個の送信部があって、同じ周波数チャンネルの受信部Ａが１個ずつあり、入力を担当する入力部と、入出力信号処理及び入力装置内部に該当送信部と受信部Ａを制御する制御部がある。
リモコン２（９０ａ）は、前記ｎ個のコンピューターのうち使用者が使おうとするコンピューターにｍ個の入力装置を連結する道具として、周波数チャンネルがお互いに異なるｎ個の送信部と、チャンネルを選択することができるｎ個のチャンネル選択ボタンがあって、入出力信号処理及びリモコン２（９０ａ）内部にあるモジュールを制御する制御部Ｒ（９５ａ）がある。
コンピューター１（１０ａ）の受信部１（１１ａ）とリモコン２（９０ａ）の送信部１（９１ａ）とｍ個の各入力装置にある送信部１と同じ周波数チャンネルであり、コンピューター２（２０ａ）の受信部２（２１ａ）とリモコン２（９０ａ）の送信部２（９２ａ）とｍ個の各入力装置にある送信部２と同じ周波数チャンネルであり、コンピューターｎ（４０ａ）の受信部ｎ（４１ａ）とリモコン２（９０ａ）の送信部ｎ（９４ａ）とｍ個の各入力装置にある送信部ｎと同じ周波数チャンネルであり、任意のコンピューターｉ（３０ａ）の受信部ｉ（３１ａ）とリモコン２（９０ａ）の任意の送信部ｉ（９３ａ）とｍ個の各入力装置にある任意の送信部ｉと同じ周波数チャンネルであり、ｎ個の各コンピューターの送信部Ａはｍ個の各入力装置にある受信部Ａと同じ周波数チャンネルである。
リモコン２（９０ａ）にある任意のチャンネル選択ボタンｉ（９８ａ）を押せば、リモコン２（９０ａ）の制御部Ｒ（９５ａ）は下のプロセスを進行するようになる。
過程１５は、リモコン２（９０ａ）の送信部ｉ（９３ａ）はコンピューターｉ（３０ａ）の受信部ｉ（３１ａ）に”活性化”信号を送って、前記過程１５でコンピューターｉ（３０ａ）の受信部ｉ（３１ａ）を通じて”活性化”信号を受けたコンピューターｉ（３０ａ）の制御部ｉ（３３ａ）はｍ個の入力装置から入力信号が入って来れば、コンピューターｉ（３０ａ）に送る。
過程１６は、リモコン２（９０ａ）の送信部ｉ（９３ａ）を除いたリモコン２（９０ａ）の各送信部は各コンピューターの該当受信部に”非活性化”信号を送る、前記過程１６で各コンピューターの該当受信部から”非活性化”命令信号を受けた該当制御部はｍ個の入力装置から入って来る各入力信号を無視する。
前記状態で、ｍ個の入力装置で各信号入力が入って来ればコンピューターｉ（３０ａ）だけ動作するようになる。
前記の状態で使用者が任意の入力装置ｊ（７０ａ）を使って入力すれば、入力装置ｊ（７０ａ）の制御部ｊ（７７ａ）は送信部ｉ（７３ａ）を通じてコンピューターｉ（３０ａ）の受信部ｉ（３１ａ）に入力信号を送って、コンピューターｉ（３０ａ）の制御部ｉ（３３ａ）は受信部ｉ（３１ａ）で受信された入力信号をコンピューターｉ（３０ａ）に送る。コンピューターｉ（３０ａ）は前記受信された入力信号がどの入力装置で送ったのかＩＤを確認して実行する。コンピューターｉ（３０ａ）によって実行処理された入力信号が入力装置ｊ（７０ａ）のフィードバックを要求する信号である場合、コンピューターｉ（３０ａ）の命令に従って制御部ｉ（３３ａ）はコンピューターｉ（３０ａ）で実行処理された信号を送信部Ａ（３２ａ）を通じて入力装置ｊ（７０ａ）の受信部Ａ（７５ａ）に送って該当制御部ｊ（７７ａ）は、実行処理した後コンピューターｉ（３０ａ）に再伝送される。
ここで、前記内容のうち入力装置ｊ、入力部ｊ、制御部ｊでｊは任意のという意味であり、図７と、図９で共通で使われる。
【００１６】
図８で、コンピューターがｎ個であり、各コンピューターには同じ周波数の受信部が１個ずつあり、入出力信号処理及び該当受信部を制御する制御部がある。  
入力装置がｍ個であり、各入力装置は同じ周波数の送信部が１個ずつあって、入力を担当する入力部と、入出力信号処理および入力装置内部にいるモジュールを制御する制御部がある。
リモコン３（８０ｂ）は前記ｎ個のコンピューターのうち使用者が使おうとするコンピューターにｍ個の入力装置を連結する道具として、送信部Ｒ（８１ｂ）と、チャンネルを選択することができるｎ個のチャンネル選択ボタンがあって、入出力信号処理及びリモコン３（８０ｂ）内部にあるモジュールを制御する制御部Ｒ（８２ｂ）がある。
ｎ個の各コンピューターの受信部は、リモコン３（８０ｂ）の送信部Ｒ（８１ｂ）とｍ個の各入力装置にある送信部と同じ周波数である。
リモコン３（８０ｂ）にある任意のチャンネル選択ボタンｉ（８５ｂ）を押せば、リモコン３（８０ｂ）の制御部Ｒ（８２ｂ）はリモコン３（８０ｂ）の送信部Ｒ（８１ｂ）を通じてｎ個のコンピューターの受信部に“コンピューターｉの活性化”信号を送って、コンピューターｉ（３０ｂ）の受信部ｉ（３１ｂ）を通じて“コンピューターｉの活性化”信号を受けたコンピューターｉ（３０ｂ）の制御部ｉ（３３ｂ）はｍ個の入力装置から入力信号が入って来ればコンピューターｉ（３０ｂ）に送る。
ｎ個のコンピューターのうちコンピューターｉ（３０ｂ）外に他のコンピューターの制御部も該当受信部を通じて“コンピューターｉの活性化”信号を受けるようになるが、“自分自身の活性化”信号ではないので”非活性化”命令信号で処理して、ｍ個の入力装置から入って来る入力信号を無視する。
前記の状態でｍ個の装置で各入力信号が入って来ればコンピューターｉ（３０ｂ）だけ動作するようになる。
前記内容でｎ個のコンピューターの制御部の活性化と”非活性化”は、“自分自身の活性化”信号でなければ、”非活性化”で命令処理するようになっている。
【００１７】
図９で、コンピューターがｎ個であり、各コンピューターには同じ周波数の受信部が１個ずつあって同じ周波数チャンネルの送信部Ｂが１個ずつあり、入出力信号処理及び該当受信部と送信部Ｂを制御する制御部がある。
入力装置がｍ個であり、各入力装置は同じ周波数の送信部が１個ずつあって、同じ周波数チャンネルの受信部Ｂが１個ずつあり、入力を担当する入力部と、入出力信号処理及び入力装置内部に該当送信部と受信部Ｂを制御する制御部がある。
リモコン４（９０ｃ）は前記ｎ個のコンピューターのうち使用者が使おうとするコンピューターにｍ個の入力装置を連結する道具として、送信部Ｒ（９１ｃ）と、チャンネルを選択することができるｎ個のチャンネル選択ボタンがあって、入力信号処理及びリモコン４（９０ｃ）内部にあるモジュールを制御する制御部Ｒ（９２ｃ）がある。
ｎ個の各コンピューターの受信部は、リモコン４（９０ｃ）の送信部Ｒ（９１ｃ）とｍ個の各入力装置にある送信部と同じ周波数であり、ｎ個の各コンピューターの送信部Ｂはｍ個の各入力装置にある受信部Ｂと同じ周波数チャンネルである。
リモコン４（９０ｃ）にある任意のチャンネル選択ボタンｉ（９５ｃ）を押せば、リモコン４（９０ｃ）の制御部Ｒ（９２ｃ）はリモコン４（９０ｃ）の送信部Ｒ（９１ｃ）を通じてｎ個のコンピューターの受信部に“コンピューターｉの活性化”信号を送って、コンピューターｉ（３０ｃ）の受信部ｉ（３１ｃ）を通じて“コンピューターｉの活性化”信号を受けたコンピューターｉ（３０ｃ）の制御部ｉ（３３ｃ）はｍ個の入力装置から入力信号が入って来ればコンピューターｉ（３０ｃ）に送る。
ｎ個のコンピューターのうちコンピューターｉ（３０ｃ）外に他のコンピューターの制御部も該当受信部を通じて“コンピューターｉの活性化”信号を受けるようになるが、“自分自身の活性化”信号ではないので”非活性化”命令信号で処理して、ｍ個の入力装置から入って来る入力信号を無視する。
前記の状態でｍ個の装置で各入力信号が入って来ればコンピューターｉ（３０ｃ）だけ動作するようになる。
前記内容でｎ個のコンピューターの制御部の活性化と”非活性化”は、“自分自身の活性化”信号でなければ、”非活性化”で命令処理するようになっている。
前記の状態で使用者が任意の入力装置ｊ（７０ｃ）を使って入力すれば、入力装置ｊ（７０ｃ）の制御部ｊ（７４ｃ）は送信部ｉ（７１ｃ）を通じてコンピューターｉ（３０ｃ）の受信部ｉ（３１ｃ）に入力信号を送って、コンピューターｉ（３０ｃ）の制御部ｉ（３３ｃ）は受信部ｉ（３１ｃ）で受信された入力信号をコンピューターｉ（３０ｃ）に送る。コンピューターｉ（３０ｃ）は前記受信された入力信号がどの入力装置で送ったのかＩＤを確認して実行する。コンピューターｉ（３０ｃ）によって実行処理された入力信号が入力装置ｊ（７０ｃ）のフィードバックを要求する信号である場合、コンピューターｉ（３０ｃ）の命令に従って制御部ｉ（３３ｃ）はコンピューターｉ（３０ｃ）で実行処理された信号を送信部Ｂ（３２ｃ）を通じて入力装置ｊ（７０ｃ）の受信部Ｂ（７２ｃ）に送って該当制御部ｊ（７４ｃ）は、実行処理した後コンピューターｉ（３０ｃ）に再伝送される。
本発明の内容でそれぞれ異なる周波数を活用した方式と同じ周波数のチャンネルを分割した方式の単方向型と両方向型の入力装置は、各入力装置の相互間に独立的に動作するため、不使用時”Ｓｌｅｅｐ  Ｍｏｄｅ”と使用時”Ｗａｋｅ  Ｕｐ  Ｍｏｄｅが可能でバッテリーを長期間使用することができるし、チャンネル選択ボタンで複数のコンピューターのうち使用者が願うコンピューターに複数の入力装置使用が可能であることが最大の特徴である。
前記周波数を異にした方式と同じ周波数でチャンネルを分割した方式は、事物インターネットやウェアラブルデバイスに応用して適用されることができるし、スマートフォンやスマートパッドのようなスマートデバイスにも適用することができる。
前記二つの方式はお互いに長短所があるが、短所だけ記述すれば、周波数チャンネル方式はお互いに異なる周波数を有した送信部と受信部をたくさん使わなければならないため、制御するコンピューターが多くなって具現するのに複雑になることがあるし、チャンネル分割方式は同じ周波数で分割することができるチャンネルが限界がある。当業者はこれを念頭に置いて二つの方法を併用して使えば良い。
本発明の図６、図７、図８、図９で説明の便宜のために言及されたリモコンのチャンネル選択ボタンは、ｎ個のコンピューターの中に任意のコンピューターに挿入されることができるし、ｍ個の入力装置中に任意の入力装置に挿入されることもできる。
そして、図６、図７、図８、図９に言及された用語であるｎ個のコンピューターとｍ個の入力装置も説明の便宜のために用語を限定して説明したが、ｎ個のお互いに異なるシステムや装備で具現されることができるし、ｍ個の他の形態の入出力装置としても具現されることができる。
以上のように、本発明の詳細な説明で具体的な実施例に関して説明したが、本発明の技術が当業者によって容易に変形実施される可能性は自明であり、このような変形された実施例らは本発明の特許請求の範囲に記載された技術思想に含まれると言える。
【図１】
0006692806.tif 000002
【図２】
0006692806.tif 000003
【図３】
0006692806.tif 000004
【図４】
0006692806.tif 000005
【図５】
0006692806.tif 000006
【図６】
0006692806.tif 000007
【図７】
0006692806.tif 000008
【図８】
0006692806.tif 000009
【図９】
0006692806.tif 000010